(57)【特許請求の範囲】
【請求項１】
来訪者が居住者を呼び出すためにエントランスに設置された集合玄関機と、前記集合玄関機からの呼び出しに応答するために各宅内に設置された住戸親機と、居住者が携行して前記住戸親機と携帯電話網を介して通信することで、前記集合玄関機からの呼び出しに応答することが可能な携帯端末とを有する集合住宅インターホンシステムであって、
集合住宅を中心に設定された特定エリアを記憶し、汎用通信網を介して前記携帯端末と通信するサーバを備える一方、
前記携帯端末は、ＧＰＳ受信機能を有して自身の位置情報を前記サーバに通知する機能と、前記住戸親機と通信して集合玄関の電気錠を解錠する機能とを備え、
前記サーバは、前記携帯端末から通知された携帯端末の位置情報を元に、前記特定エリアに対する前記携帯端末の内外の位置情報を前記携帯端末に通知する一方、
前記携帯端末は、前記サーバから受信した前記特定エリアに対する内外情報を基に、前記特定エリア内であれば前記電気錠解錠機能を能動とする一方で、前記特定エリア外では前記電気錠解錠機能を非能動とする機能制御部を有し、
前記機能制御部は、更に集合住宅内施設の予約機能、及び集合住宅内エレベータのエントランスフロアへの呼び出し機能のうち少なくとも一方の機能を有し、前記サーバから受信した前記特定エリアに対する内外情報を基に、前記特定エリア内であれば前記予約機能を能動とする一方で、前記特定エリア外では前記予約機能を非能動とすることを特徴とする集合住宅インターホンシステム。
【発明の詳細な説明】
【技術分野】
【０００１】
本発明は来訪者が居住者を呼び出すための集合住宅インターホンシステムに関し、特に来訪者からの呼び出しに対して居住者が携行する携帯端末でも応答が可能な集合住宅インターホンシステムに関する。
【背景技術】
【０００２】
玄関等の宅外に設置された子機からの呼び出しに対して居住者が携行する携帯端末で応答できるインターホンシステムがある。例えば、特許文献１では玄関子機からの呼び出しが親機に加えて携帯電話に送信されて携帯電話でも呼出動作し、携帯電話による応答を可能としている。また更に、応答している状態で所定の操作で解錠操作でき、解錠操作すると自宅玄関の電気錠の解錠が可能であった。
【先行技術文献】
【特許文献】
【０００３】
【特許文献１】特開２０１０−８１２１６号公報
【発明の概要】
【発明が解決しようとする課題】
【０００４】
携帯端末で応答できる上記従来のインターホンシステムは、親機を操作することなく、更には自宅に居なくても応答でき、更に玄関の解錠ができたため便利であった。
しかしながら、自宅から遠く離れた場所からでも玄関ドアを解錠できてしまうため、セキュリティ上問題があった。
【０００５】
そこで、本発明はこのような問題点に鑑み、自宅から一定距離以上離れた場所からは玄関の解錠操作を禁止する集合住宅インターホンシステムを提供することを目的としている。
【課題を解決するための手段】
【０００６】
上記課題を解決する為に、請求項１の発明は、来訪者が居住者を呼び出すためにエントランスに設置された集合玄関機と、集合玄関機からの呼び出しに応答するために各宅内に設置された住戸親機と、居住者が携行して住戸親機と携帯電話網を介して通信することで、集合玄関機からの呼び出しに応答することが可能な携帯端末とを有する集合住宅インターホンシステムであって、集合住宅を中心に設定された特定エリアを記憶し、汎用通信網を介して携帯端末と通信するサーバを備える一方、携帯端末は、ＧＰＳ受信機能を有して自身の位置情報をサーバに通知する機能と、住戸親機と通信して集合玄関の電気錠を解錠する機能とを備え、サーバは、携帯端末から通知された携帯端末の位置情報を元に、特定エリアに対する携帯端末の内外の位置情報を携帯端末に通知する一方、携帯端末は、サーバから受信した特定エリアに対する内外情報を基に、特定エリア内であれば電気錠解錠機能を能動とする一方で、特定エリア外では電気錠解錠機能を非能動とする機能制御部を有し、機能制御部は、更に集合住宅内施設の予約機能、及び集合住宅内エレベータのエントランスフロアへの呼び出し機能のうち少なくとも一方の機能を有し、サーバから受信した特定エリアに対する内外情報を基に、特定エリア内であれば予約機能を能動とする一方で、特定エリア外では予約機能を非能動とすることを特徴とする。
この構成によれば、集合住宅から一定距離以上離れたら集合玄関の電気錠を携帯端末操作で解錠できないため、集合住宅から離れた遠方に居る居住者が、誤って集合玄関を解錠してしまう誤操作を防止できる。
また、携帯端末に集合住宅内施設の予約機能やエレベータの呼び出し機能が具備されていても、自宅から一定距離以上離れたらそれらの機能は非能動となるため、誤操作して他の居住者が迷惑する事態を防止できる。
【発明の効果】
【０００７】
本発明によれば、自宅から一定距離以上離れたら自宅玄関を解錠できないため、自宅から離れた遠方に居る居住者が、誤って自宅を解錠してしまう誤操作を防止できる。
【図面の簡単な説明】
【０００８】
【図１】インターホンシステムの一例を示す構成図である。
【図２】本発明に係る集合住宅インターホンシステムの一例を示す構成図である。
【発明を実施するための形態】
【０００９】
以下、本発明を具体化した実施の形態を、図面を参照して詳細に説明する。図１はインターホンシステムの一例を示す構成図であり、主要機器をブロック図で示している。図１において、１は玄関等に設置されて来訪者が居住者を呼び出して通話するための子機、２は宅内に設置されて子機１からの呼び出しに応答するための親機、３は携帯電話としての機能を備えたスマートフォン等の携帯端末、４は宅内に設置されて携帯端末３と通信が可能な無線ＬＡＮアクセスポイント、５は携帯端末３を管理するサーバ、６は図示しない玄関ドアに組み込まれた電気錠である。
【００１０】
子機１と親機２とは伝送線Ｌ１を介して接続され、親機２は無線ＬＡＮアクセスポイント４を介してインターネット等の汎用通信網Ｎ１、及び携帯電話網Ｎ２に接続されている。この接続により、親機２は汎用通信網Ｎ１を介してサーバ５と、携帯電話網Ｎ２を介して携帯端末３と通信が可能となっている。また、電気錠６は親機２に制御線Ｌ２を介して接続されている。
更に、無線ＬＡＮアクセスポイント４と携帯端末３とが通信可能な状態では、親機２は携帯端末３と無線ＬＡＮ通信が可能であるし、サーバ５は汎用通信網Ｎ１を介して携帯端末３と通信を実施する。
尚、汎用通信網Ｎ１及び携帯電話網Ｎ２は何れも公衆通信網であり、双方は殆どが共通のネットワークで構成されている。
【００１１】
子機１は、呼出操作する呼出ボタン１１、来訪者を撮像する子機カメラ１２、通話するためのマイク１３及びスピーカ１４、子機を制御する子機ＣＰＵ１５、親機２と通信するための子機通信ＩＦ１６等を備えている。
【００１２】
親機２は、子機１からの呼び出しに応答する操作、電気錠６の解錠操作に加えて各種設定操作を行う親機操作部２１、通話するためのマイク２２及びスピーカ２３、子機カメラ１２の撮像映像を表示するモニタ２４、親機２を制御する親機ＣＰＵ２６、子機１と通信すると共に無線ＬＡＮアクセスポイント４及び携帯電話網Ｎ２を介して携帯端末３と通信を実施し、更に汎用通信網Ｎ１を介してサーバ５と通信するための親機通信ＩＦ２７等を備えている。
【００１３】
携帯端末３は、子機１からの呼び出しに対する応答操作、電気錠６の解錠操作等の各種操作を行うための携帯端末操作部３１、通信相手と通話するための通話部３２、アプリケーションソフトウェア等を保存する携帯端末記憶部３３、携帯端末３を制御する携帯端末ＣＰＵ３４、携帯電話網Ｎ２或いは無線ＬＡＮアクセスポイント４を介して親機２と通信すると共に、汎用通信網Ｎ１を介してサーバ５と通信するための携帯端末通信ＩＦ３５等を備えている。
また、ＧＰＳ信号を受信して自身の位置を常時サーバ５に発信する機能を備えているし、携帯端末操作部３１は携帯端末３の表示部に操作ボタンが表示されるタッチボタンで構成されている。
【００１４】
携帯端末ＣＰＵ３４は、親機２と通信して子機１の呼出操作に基づく呼出信号が送信されたら親機２を介して応答する制御を実施すると共に、特定エリアを区画するジオフェンスの設定制御を行い、設定されたジオフェンス情報はサーバ５に登録される。
このジオフェンスの設定は、所定のアプリケーションソフトウェアをインストールすることで可能となり、例えば携帯端末３の携帯端末操作部３１の所定の操作でサーバ５からインストールされる。
ジオフェンスは、無線ＬＡＮアクセスポイント４の通信エリア（通常、数メートルから数十メートル）を囲むよう設定される。具体的には、例えば自宅の庭を含む範囲で設定され、携帯端末３をジオフェンス設定モードに移行させ、自宅敷地が四角形であれば例えば４隅に移動してＧＰＳ機能を使用して各点の位置情報（緯度及び経度）をセットすることでエリア設定が成され、この特定エリアがジオフェンスとなる。
【００１５】
サーバ５は、携帯端末３により設定されたジオフェンスを記憶し、携帯端末３から携帯端末３の位置情報を定期的に入手して、ジオフェンスに対する携帯端末３の内外の位置情報を定期的に携帯端末３に汎用通信網Ｎ１を介して通知する。
そして、アプリケーションソフトウェアのインストールにより、携帯端末ＣＰＵ３４は、サーバ５からジオフェンスに対する内外の位置情報を受信したら、その位置情報に応じて操作可能ボタンが変更される。
【００１６】
尚、携帯端末３は、無線ＬＡＮアクセスポイント４からＩＰアドレスを取得する機能、無線ＬＡＮアクセスポイント４のＳＳＩＤを取得する機能を有して、携帯端末ＣＰＵ３４は無線ＬＡＮアクセスポイント４と通信可能状態となったら通信回線を無線ＬＡＮアクセスポイント４を使用する回線とし、親機２と通信する場合は携帯電話網Ｎ２を介さない内線通信となる。
【００１７】
上記の如く構成されたインターホンシステムの動作は以下の様である。子機１の呼出ボタン１１が押下されると、子機１から親機２に呼出信号が送信される。呼出信号を受信した親機２は、親機ＣＰＵ２６の制御によりスピーカ２３から呼出音を鳴動し、子機カメラ１２が撮像した映像がモニタ２４に表示される。
【００１８】
同時に、携帯端末３に対して呼出信号が送信される。但し、無線ＬＡＮアクセスポイント４と通信可能であれば、携帯電話網Ｎ２を介さず呼出信号が送信されるし、通信できない場合は携帯電話網Ｎ２を介して呼出信号が携帯端末３に送信され、呼び出しが実施される。呼び出しを受けた親機２及び携帯端末３の何れかで応答操作されると、応答操作した機器と子機１との間で通話路が形成され、居住者と来訪者の間で通話が可能となる。
【００１９】
そして、親機２で応答した場合は、親機２の解錠ボタン（図示せず）が操作されると玄関ドアの電気錠６が解錠される。
一方、携帯端末３で応答した場合は以下の様に動作する。携帯端末３がジオフェンス外である場合は解錠操作は禁止され、表示されている解錠ボタンを操作しても禁止メッセージが表示される。尚、この場合、解錠ボタン自体を表示しないようジオフェンスの内外とで表示変更しても良い。
そして、ジオフェンス内である場合は解錠ボタン操作が可能であり、解錠ボタン操作で玄関ドアが解錠される。
【００２０】
尚、携帯端末による解錠操作は応答操作時でなくとも可能であり、この場合もジオフェンス内に位置する場合のみ可能となる。
【００２１】
このように、自宅から一定距離以上離れたら携帯端末により自宅玄関を解錠できないため、自宅から離れた遠方に居る居住者が、誤って自宅を解錠してしまう誤操作を防止できる。
【００２２】
図２は、本発明に係る集合住宅インターホンシステムの一例を示す構成図であり、４１は集合玄関機、４２は集合玄関ドアに設置された電気錠、４３は機器間の通信を制御する制御機、４４はエレベータであり、上記図１と同一の構成要素には同一の符号を付与している。親機（住戸親機）２は集合住宅の各住戸に設置され、子機１は個々の住戸玄関に設置されている。更に個々の住戸には無線ＬＡＮアクセスポイント４が設置され、親機２は個々に公衆通信網Ｎ１及び携帯電話網Ｎ２に接続されている。住戸毎のインターホン機器の構成は上記図１と同様である。
そして、上記形態と同様に携帯端末３によりジオフェンスが設定され、設定されたジオフェンスはサーバ５に登録される。集合住宅の場合、ジオフェンスは集合住宅を囲むように設定され、設定手順は上記形態と同様に実施される。ここで、説明の都合上、上記形態の自宅を中心に設定したジオフェンスを第１ジオフェンス、集合住宅を含むように設定したジオフェンスを第２ジオフェンスとして以下説明する。
【００２３】
サーバ５は設定された第２ジオフェンスを記憶し、携帯端末３から携帯端末３の位置情報を常時入手して、第２ジオフェンスに対する携帯端末３の内外の位置情報を定期的に携帯端末３に汎用通信網Ｎ１を介して通知する。そして、携帯端末ＣＰＵ３４は、サーバ５から第２ジオフェンスに対する内外の位置情報を受信したら、その位置情報に応じ操作可能ボタンを変更する。
【００２４】
このように構成された集合住宅インターホンシステムの動作は以下の様である。集合玄関機４１から住戸が選択して呼出操作されると、制御機４３を介して呼出信号が選択された住戸の親機２に伝送され、親機２において呼出音が鳴動する。同時に、親機２から携帯端末３に対して呼出信号が送信される。この呼び出しは上記形態と同様であり、直接或いは携帯電話網Ｎ２を介して送信され、呼び出しが実施される。
呼び出しを受けた親機２及び携帯端末３の何れかで応答操作されると、応答操作した機器と子機１との間で通話路が形成され、居住者と来訪者の間で通話が可能となる。
【００２５】
そして、親機２で応答した場合は、親機２の解錠ボタン（図示せず）が操作されると集合玄関ドアの電気錠４２が解錠される。
一方、携帯端末３で応答した場合は以下の様に動作する。携帯端末３が第２ジオフェンス外である場合は解錠操作は禁止され、表示されている解錠ボタンを操作しても禁止メッセージが表示される。尚、この場合、解錠ボタン自体を表示しないよう第２ジオフェンスの内外とで表示変更しても良い。
そして、第２ジオフェンス内である場合は解錠ボタン操作が可能であり、解錠ボタン操作で集合玄関ドアの電気錠４２が解錠される。
【００２６】
尚、携帯端末３による解錠操作は応答操作時でなくとも可能であり、この場合も第２ジオフェンス内に位置する場合のみ可能となる。また、個々の住戸玄関に設置された子機１と住戸内の親機２の間の呼び出し／応答操作は上記実施形態と同様の動作を実施できる。但し、住戸玄関の電気錠操作に関しては第１ジオフェンスに対する内外の位置情報が適用される。
【００２７】
このように、集合住宅から一定距離以上離れたら携帯端末により集合玄関の電気錠を解錠できないため、集合住宅から離れた遠方に居る居住者が、誤って集合玄関を解錠してしまう誤操作を防止できる。
【００２８】
集合住宅インターホンシステムの場合、上述した集合玄関の電気錠操作以外に、ジオフェンスの機能を利用して携帯端末の操作により次のような操作も容易に実施でき、好適に利用できる。
例えば、帰宅した居住者が、集合玄関に入る直前に集合玄関の電気錠の解錠操作に加えて、エレベータがエントランスに来るよう呼出操作しても良い。更に、集合住宅に付属しているトレーニング施設等の各種施設の予約をすることも可能である。何れの操作も第２ジオフェンス外からではボタン操作を非能動とすることで、他の居住者に迷惑を掛けてしまうような事態を防止できる。
【００２９】
尚、ＧＰＳによる位置の認識は高さを含んで認識することも可能であるため、集合住宅の高層階に自宅があってもその高度を含めて第１ジオフェンスを設定することが可能であり、平面的には第１ジオフェンス内であっても自宅と異なるフロアに位置している場合は第１ジオフェンス外であると判断させて自宅玄関の解錠を不可とするよう制御させることは容易である。
【符号の説明】
【００３０】
１・・子機、２・・親機、３・・携帯端末、４・・無線ＬＡＮアクセスポイント、５・・サーバ、６・・電気錠、３１・・携帯端末操作部、３３・・携帯端末記憶部、３４・・携帯端末ＣＰＵ（機能制御部）、４１・・集合玄関機、４２・・電気錠、４４・・エレベータ、Ｎ１・・汎用通信網、Ｎ２・・携帯電話網。
【図１】
0006412434.tif 000002
【図２】
0006412434.tif 000003